(57)【要約】      子供用の乗用器具が、開示される。本発明の乗用器具は、ハンドル（１１１）および足載せ台（１１５）を有する本体（１１０）、および、本体内に設置されて、所定の距離だけ互いに離れて間隔を置かれる位置に垂直に配置される支持板（１２０）を含む。この乗用器具は、前部回転部材（３３０）、後部回転部材（３４０）、前ばね（３５０）、後ばね（３５１）および連結棒（３１０）を有する、動作ユニット（３００）を更に含む。前部回転部材および後部回転部材は、それぞれインターロック軸（２１３）および（２２３）を有する。この乗用器具は、それぞれインターロック軸（２１３）および（２２３）に固定される、前脚（２１０）および後脚（２２０）を更に含む。一方向車輪組立体が、前脚および後脚の各々の下端に設けられている。  【選択図】なし
2011501979.tif 000002
【特許請求の範囲】
【請求項１】
子供用の乗用器具であって、
動物またはキャラクタ形状を有する本体（１１０）であって、前記本体（１１０）が分離された工程によって製造される２つの本体部分に分割され、前記本体（１１０）が２つの本体部分を互いに連結することによって形成され、前記本体（１１０）の先端部の上部に設けられるハンドル（１１１）および前記本体（１１０）の中間の部分の下端に設けられる足載せ台（１１５）を備えた、本体と、
前記本体（１１０）内に設置される複数の支持板（１２０）であって、所定の距離だけ互いに離れて間隔を置かれる位置で垂直に配置されている支持板と、
動作ユニット（３００）であって、それぞれインターロック軸（２１３）および（２２３）を有する前部回転部材（３３０）および後部回転部材（３４０）であって、前記前部回転部材（３３０）および前記後部回転部材（３４０）が回転可能であるように前記支持板（１２０）間の前後の位置でそれぞれ設けられるように、前記インターロック軸（２１３）および（２２３）がそれぞれ前記支持板（１２０）および前記本体（１１０）内に前後の位置で形成される挿入穴（１２１）、（１１２）および（１２２）、（１１３）に嵌入されており、前記支持板（１２０）の１つの内側表面上の前後の位置にそれぞれ設けられている停止突起（１２３）が、それぞれの案内溝（３３３）および（３４３）に挿入されるように、中心部内にそれぞれ形成される前記案内溝（３３３）および（３４３）を有する、前部回転部材（３３０）および後部回転部材（３４０）と、前記前部回転部材（３３０）の上端が前方へ偏倚するように前記前部回転部材（３３０）に弾性力を加えるための前ばね（３５０）と、前記後部回転部材（３４０）の上端が後方へ偏倚するように前記後部回転部材（３４０）に弾性力を加えるための後ばね（３５１）と、それぞれ、ヒンジ軸（３２０）および（３２１）を使用して、前記前部回転部材（３３０）の上端および前記後部回転部材（３４０）の下端に連結される連結棒（３１０）と、を備える動作ユニットと、
それぞれ前記挿入穴（１１２）および（１１３）を通して前記本体（１１０）の外側に延伸する前記インターロック軸（２１３）および（２２３）の対応する対向端部の上に取り付けられる軸穴（２１４）および（２２４）を有する一対の前脚（２１０）および一対の後脚（２２０）であって、前記前脚（２１０）および前記後脚（２２０）の下端にそれぞれ設けられる一方向車輪組立体（２１１）および（２２１）であって、各々が前進方向にだけ回転可能な、一方向車輪組立体（２１１）および（２２１）によって、互いに離れる方向に、および、互いに接近する方向に揺動する、前脚（２１０）および後脚（２２０）と、を備える乗用器具。
【請求項２】
請求項１に記載の子供用の乗用器具であって、さらに、前記後部回転部材（３４０）の上端を後方に偏倚させる前記後ばね（３５１）の張力を調整するためのばね張力調整ユニット（３６０）を備え、前記ばね張力調整ユニット（３６０）が、前記支持板（１２０）の１つの内側表面に設けられる支持部材（３６１）であって、その中に停止部材（３６１ａ）を有する支持部材（３６１）と、線形に動かせるように前記支持部材（３６１）内に設けられる張力調整可動本体（３６２）であって、前記張力調整可動本体（３６２）の第１端部を通して形成されるナット穴（３６２ａ）を有し、前記後ばね（３５１）にその第２の端部で連結されている、張力調整可動本体（３６２）と、前記停止部材（３６１ａ）に挿入されて、前記ナット穴（３６２ａ）にねじ込まれるレンチボルト（３６３）であって、前記張力調整可動本体（３６２）が前記レンチボルト（３６３）を回転させることによって線形に動かされるようにし、したがって、前記後ばね（３５１）の張力を調整する、レンチボルトと、を備える乗用器具。
【請求項３】
請求項１に記載の子供用の乗用器具であって、音声出力ユニット（４００）が前記本体（１１０）の先端部の上部内に設けられ、前記音声出力ユニット（４００）が、スピーカ（４０１）、内部メモリ素子（４０２）、着脱可能な外部メモリ素子（４０３）、マイクロプロセッサ（４０４）および電池（４０５）を備え、そして、前記内部メモリ素子（４０２）内に格納される音声情報を出力するための第１のスイッチ（４０６）および前記着脱可能な外部メモリ素子（４０３）内に格納される音声情報を出力するための第２のスイッチ（４０７）が、前記ハンドル（１１１）の対向端部にそれぞれ設けられる、ことを特徴とする乗用器具。
【請求項４】
請求項３に記載の子供用の乗用器具であって、反響音マイクロホン（４０８）がユーザからの音声入力に対する反響効果を与えるために前記本体（１１０）内の所定の位置に設けられ、前記反響音マイクロホン（４０８）が前記スピーカ（４０１）に直接に接続され、および反響音スイッチ（４０９）が、前記反響音マイクロホン（４０８）を選択的に動作させるために前記反響音マイクロホン（４０８）に隣接して設けられる、ことを特徴とする乗用器具。
【請求項５】
請求項１に記載の子供用の乗用器具であって、連結棒挿入穴（１１７）が前記本体（１１０）の後端の上部に形成され、および、連結棒（５００）が前記連結棒挿入穴（１１７）にはめ込まれ前記連結棒（５００）がその上端部上に、水平方向に所定の長さ延伸する補助的なハンドル（５０１）を有し、前記連結棒（５００）が、前記本体（１１０）を通してロックピン（１１４）を嵌まり穴（５０２）にはめ込むことによって前記本体（１１０）に固定される、ことを特徴とする乗用器具。
【請求項６】
請求項１に記載の子供用の乗用器具であって、前記一方向車輪組立体（２１１）および（２２１）の各々が、車軸（２１）、前記車軸（２１）の上に取り付けられるクラッチ軸受（２２）および前記クラッチ軸受（２２）の周囲の外部表面に設けられるゴムタイヤ（２３）を備える、ことを特徴とする乗用器具。
【発明の詳細な説明】
【技術分野】
【０００１】
本発明は一般に子供用の乗用器具に関し、および、より詳しくは、本体上に座るユーザのスタンピング動作によって乗用器具の本体が上下方向に動かされると、この乗用器具の脚が弾性的に揺動し、したがって、推進力を生成し、それによってこの器具を前方へ進めるように構成され、かつ、乗用器具の脚が揺動する時のノイズを防ぐことができ、かつ、前輪および後輪がこの器具を正確に案内するように構成されている、子供用の乗用器具に関する。
【背景技術】
【０００２】
[参考文献]  特許文献１（２００４年２月１１日）
【先行技術文献】
【特許文献】
【０００３】
【特許文献１】ＫＲ  ２０−０３４０９０５  Ｙ１
【特許文献２】韓国実用新案登録番号第３４０９０５号
【発明の概要】
【発明が解決しようとする課題】
【０００４】
一般に、子供用の乗用器具は、馬、象、犬、虎、その他の形状のような動物形状または自動二輪車、自動車、などの形状のような車両の形状を有する本体を含む。さらに、車輪が本体の前後の部分の下に設けられている。子供ユーザがこの種の乗用器具の上部に乗ったあと、ユーザは自分の足を使って地面を押す。それで推進力が生成され、その結果、乗用器具が前進する。子供は、乗用器具の動きを知りたがる。加えて、乗用器具を前進させる動きは、子供ユーザの足の筋肉を発達させる。乗用器具を動かしている間、子供ユーザがバランスを維持しようと試みるので、子供ユーザの体の筋肉が均一に発達することができ、および、平衡感覚が改善されることができる。
【０００５】
しかしながら、従来の乗用器具は、乗用器具に座るユーザが自分の足を使って地面を押すと乗用器具が前進する動作を除いて、何の特定の目的も持たない。したがって、子供は従来の乗用器具に比較的容易に飽きるようになる。
【０００６】
上記の問題を克服しようという努力の一環として、ある乗用器具が、本発明の発明者によって出願された特許文献２において提案された。この乗用器具において、本体が前後の本体部分に分割されており、２つの本体部分がヒンジによって互いに対して回転されるようになっている。テンションばねが、２つの本体部分の間に接続されている。乗用器具が前進する方向にだけ回転する車輪が、各本体部分の下部の下に設けられている。本体上に座っているユーザが自分の体を上下方向に動かすと、乗用器具の本体の２つの本体部分は、それらが巻かれる方向に、および、それらが展開される方向に弾性力によって回転する。それによって、推進力が発生され、その結果、乗用器具が前進する。
【０００７】
しかしながら、本発明の発明者によって開示されたこの乗用器具の場合、本体が前後の本体部分に分割され、および、この乗用器具は、前後の本体部分が互いに対して回転するように動作するので、前後の本体部分が曲げられるときに、ユーザが自分の尻に痛みを感じる場合がある。さらに、前後の本体部分およびその間に接続されるテンションばねが直線構造を形成するので、２つの本体部分が展開されるときに、安定性が低下する。この乗用器具が動作する間、金属でできているテンションばねの伸縮のために、比較的大きいノイズが生じる。
【０００８】
さらに、乗用器具が推進力を生成することによって前進する動きは、子供の好奇心をほんの一時的に刺激するだけである。つまり、従来の乗用器具の機能は子供の好奇心を連続的に満たすには十分でない。したがって、より多数の種類の機能を有する乗用器具が求められている。
【課題を解決するための手段】
【０００９】
したがって、本発明は従来技術に生じている上記の問題を念頭に置いてなされたものであり、および本発明の目的は、子供が座る本体を曲げることなく、本体の元の形状をずっと維持しながら前進させることができ、かつ、運動が不足している子供が運動して、自分の筋肉を使用するように誘導することができる、子供用の乗用器具を提供することである。
【００１０】
本発明の別の目的は、たとえ本体に座っているユーザが前後の方向に本体を揺さぶるとしても、乗用器具が一方に傾かずに正常に動作するように、かつ、乗用器具の前脚および後脚が引き伸ばされるかまたは収縮される時に、たとえ過度の荷重が乗用器具に加えられるとしても、乗用器具が荷重に抵抗し、および、本体が変形するのを防ぐことができ、したがって、長期使用を可能にし、それによって、製品の信頼性を著しく高めるように、構成される子供用の乗用器具を提供することである。
【００１１】
更に、本発明の別の目的は、動物の鳴き声、馬の蹄の音、音楽、その他のような、いろいろな音声情報がスイッチを操作することによって出力されることができるように構成される子供用の乗用器具を提供することである。
【００１２】
上記目的を達成するために、本発明は子供用の乗用器具であって、動物またはキャラクタ形状を有する本体であって、この本体が分離された工程によって製造される２つの本体部分に分割され、この本体が２つの本体部分を互いに連結することによって形成され、本体の先端部の上部に設けられるハンドルおよび本体の中間の部分の下端に設けられる足載せ台を備えた、本体と、本体内に設置される複数の支持板であって、所定の距離だけ互いに離れて間隔を置かれる位置で垂直に配置されている、支持板と、動作ユニットであって、それぞれインターロック軸を有する前部回転部材および後部回転部材であって、この前部回転部材および後部回転部材が、回転可能であるように支持板間の前後の位置でそれぞれ設けられるように、このインターロック軸がそれぞれ支持板および本体内に前後の位置で形成される挿入穴に嵌入されており、支持板の１つの内側表面上の前後の位置にそれぞれ設けられている停止突起が、それぞれの案内溝に挿入されるように、中心部内にそれぞれ形成される案内溝を有する、前部回転部材および後部回転部材と、前部回転部材の上端が前方へ偏倚するように前部回転部材に弾性力を加えるための前ばねと、後部回転部材の上端が後方へ偏倚するように後部回転部材に弾性力を加えるための後ばねと、それぞれ、ヒンジ軸を使用して、前部回転部材の上端および後部回転部材の下端に連結される連結棒と、を備える、動作ユニットと、それぞれ挿入穴を通して本体の外側に延伸するインターロック軸の対応する対向端部の上に取り付けられる軸穴を有する一対の前脚および一対の後脚であって、前脚および後脚の下端にそれぞれ設けられる一方向車輪組立体であって、各々が前進方向にだけ回転可能な、一方向車輪組立体によって、互いに離れる方向に、および、互いに接近する方向に揺動する、前脚および後脚と、を備える乗用器具を提供する。
【００１３】
この乗用器具は、後部回転部材の上端を後方に偏倚させる後ばねの張力を調整するためのばね張力調整ユニットを更に備えることができ、このばね張力調整ユニットが、支持板の１つの内側表面に設けられる支持部材であって、その中に停止部材を有する、支持部材と、線形に動かせるように支持部材内に設けられる張力調整可動本体であって、この張力調整可動本体の第１端部を通して形成されるナット穴を有し、後ばねにその第２の端部で連結されている、張力調整可動本体と、停止部材に挿入されて、ナット穴にねじ込まれるレンチボルトであって、この張力調整可動本体がレンチボルトを回転させることによって線形に動かされるようにし、したがって、後ばねの張力を調整する、レンチボルトと、を含む。
【００１４】
さらに、音声出力ユニットが本体の先端部の上部内に設けられることができる。この音声出力ユニットは、スピーカ、内部メモリ素子、着脱可能な外部メモリ素子、マイクロプロセッサおよび電池を含むことができる。内部メモリ素子内に格納される音声情報を出力するための第１のスイッチおよび着脱可能な外部メモリ素子内に格納される音声情報を出力するための第２のスイッチが、ハンドルの対向端部にそれぞれ設けられることができる。
【００１５】
加えて、反響音マイクロホンがユーザからの音声入力に対する反響効果を与えるために本体内の所定の位置に設けられることができ、この反響音マイクロホンはスピーカに直接に接続されることができる。反響音スイッチが、反響音マイクロホンを選択的に動作させるために反響音マイクロホンに隣接して設けられることができる。
【００１６】
同様に、連結棒挿入穴が本体の後端の上部に形成されることができ、および、連結棒がこの連結棒挿入穴にはめ込まれることができ、この連結棒がその上端部上に、水平方向に所定の長さ延伸する補助的なハンドルを有することができる。この連結棒は、本体を通してロックピンを嵌まり穴にはめ込むことによって本体に固定されることができる。
【００１７】
さらに、一方向車輪組立体の各々が、車軸、この車軸の上に取り付けられるクラッチ軸受およびクラッチ軸受の周囲の外部表面に設けられるゴムタイヤを含むことができる。
【発明の効果】
【００１８】
本発明において、乗用器具が、子供ユーザが座る本体を曲げることなく、本体の元の形状をずっと維持しながら前進させることができる。したがって、ちょうどあたかも彼／彼女が本物の馬に乗っているかのように、子供ユーザがより心地よく乗用器具を楽しむことができる。
【００１９】
さらに、たとえ本体に座っている子供ユーザがハンドルを保持して、前後の方向に本体を揺さぶるとしても、乗用器具は一方に傾かずに正常に動作し、したがって、動作中の安定性を確実にする。加えて、器具の前脚および後脚が引き伸ばされるかまたは収縮されるときに、たとえ過度の荷重が乗用器具に加えられるとしても、支持板がこの荷重に耐える。したがって、合成樹脂でできている本体が望ましくない変形を防止でき、そのため、乗用器具が長い間使われることができ、それによって著しく製品の信頼性を高めることができる。
【００２０】
加えて、子供ユーザが本体に乗ってハンドルを保持するときに、子供ユーザはハンドルの対向端部にそれぞれ設けられる第１のスイッチおよび第２のスイッチのうちの少なくとも１つに自然に触れる。その時、馬のいななく音、馬の蹄の音、童謡、その他のような、音声情報が出力される。したがって、本発明は子供ユーザの好奇心を継続的に刺激することができる。本発明の乗用器具が反響音機能を有する場合には、乗用器具はさまざまな音を発生させるように子供ユーザを誘導することができ、したがって、子供ユーザの声帯を発達させて、彼（女）の発音および自信を向上させることができる。
【００２１】
さらに、運動が不足している都会の子供が遊び乗馬を楽しんでいる間、彼らはまた、運動のために自然に体を動かすことができる。したがって、本発明の乗用器具は子供の健康状態を向上させるために役に立つことができる。
【図面の簡単な説明】
【００２２】
【図１】本発明に従う、子供用の乗用器具の斜視図である。
【図２】本発明に従う乗用器具の分解斜視図である。
【図３】本発明に従う動作ユニットを示す斜視図である。
【図４】本発明に従う乗用器具の構造を示す長手方向断面図である。
【図５】本発明に従う乗用器具の一方向車輪組立体の構造を示す長手方向断面図である。
【図６】本発明に従ってそれが下方向に押されるときの、乗用器具の動作を示す図である。
【図７ａ】本発明に従う、後脚およびインターロック軸の動作を例示する略図である。
【図７ｂ】本発明に従う、後脚のインターロック軸の回転を例示するための仮想図である。
【図８】本発明に従って下向きの状態へそれが移動するときの、乗用器具の長手方向断面図である。
【図９】本発明に従ってそれが上方向に動かされるときの、乗用器具の動作を示す図である。
【図１０】本発明に従う乗用器具内に設けられる音声出力ユニットを示す平面図である。
【図１１】本発明内に使用される音声出力ユニットの構造を示すブロック図である。および、
【図１２】本発明の別の実施態様を例示する部分的分解斜視図である。
【発明を実施するための形態】
【００２３】
以下に、本発明の好適な実施態様を添付の図面を参照して詳述する。
【００２４】
図１は、本発明に従う、子供用の乗用器具の斜視図である。図２は、この乗用器具の分解斜視図である。図３は、動作ユニットを示す斜視図である。図４は、この乗用器具の長手方向断面図である。図５は、乗用器具の一方向車輪組立体の長手方向断面図である。
【００２５】
図１ないし図４を参照すると、本発明に従う子供用の乗用器具１００が、動物または人気があるキャラクタの形状を有する本体１１０および本体１１０の先端部の上部に設けられるハンドル１１１を含む。
【００２６】
本体１１０は、その長手方向中心線に基づいて２つの本体部分に分割される。本体１１０を製造するために、２つの本体部分が射出成形プロセスを通して形成され、および、その後に、組立工程において、この２つの本体部分がいくつかのボルト１１６およびナット１１６’のような連結部材を使用して互いに連結される。本体１１０を形成するために結合部材を使用して互いに２つの本体部分を連結する方法は、周知の技術から容易に得られ、したがって、図面の詳細な説明およびその例証は、省略される。必要に応じて、２つの本体部分は別の連結方法によって互いに固定されることができる。
【００２７】
２本の前脚２１０および２本の後脚２２０が、本体１１０の前端および後端の下部にそれぞれ設けられる。前脚２１０および後脚２２０は、その下端が反対方向に動かされることができるように、その上端部で本体１１０に回転可能に連結される。
【００２８】
さらに、一方向車輪組立体２１１および２２１が、それぞれ、前脚２１０および後脚２２０の下端に設けられている。一方向車輪組立体２１１および２２１は、乗用器具１００が前進する方向にだけ回転することができ、かつ乗用器具１００が後方に動かされる方向に回転するのを妨げる。一方向車輪組立体２１１および２２１は、本願明細書において後で詳しく説明される。
【００２９】
複数の支持板１２０が、直立位置で本体１１０内に設置される。前脚２１０および後脚２２０を動作させる動作ユニット３００が、支持板１２０の間に設けられる。
【００３０】
本体１１０の２つの本体部分がボルト１１６およびナット１１６’を使用して互いに固定されるときに、および同時に、支持板１２０がボルト１１６およびナット１１６’によって本体１１０に固定される。この時に、支持板１２０は本体１１０の内側表面との緊密な接触にもたらされる。本体１１０は、合成樹脂でできていて、射出成形プロセスによって形成される。支持板１２０は、鋼板のような金属板でできている。
【００３１】
図３に示すように、動作ユニット３００は、前後の位置にそれぞれ配設される、前部回転部材３３０および後部回転部材３４０を含む。インターロック軸２１３および２２３が、それぞれ前部回転部材３３０および後部回転部材３４０を通して形成される挿入穴３３１および３４１にはめ込まれる。ここで、好ましくは、インターロック軸２１３および２２３は溶接によってそれぞれ前部回転部材３３０および後部回転部材３４０に固定されるが、しかし必要に応じて、インターロック軸２１３および２２３の固定は他の固定手段によって実現されることができる。
【００３２】
さらに、連結棒３１０が、ヒンジ軸３２０および３２１を使用して、それぞれ、前部回転部材３３０の上端および後部回転部材３４０の下端にその対向端部で連結される。
【００３３】
前部回転部材３３０および後部回転部材３４０は、その上端部内にそれぞれバネロック穴３３２および３４２を有し、および、その中心部内にそれぞれ、回転部材の回転範囲を規定するための、案内溝３３３および３４３を有する。
【００３４】
乗用器具１００を組立てる工程において、１枚の支持板１２０の内側表面上の前後の位置にそれぞれ設けられる停止突起１２３が、それぞれの案内溝３３３および３４３に挿入される。
【００３５】
したがって、前部回転部材３３０および後部回転部材３４０がインターロック軸２１３および２２３の回転によって回転されるときに、案内溝３３３および３４３は、その元の位置に固定される停止突起１２３に対して回転される。ここで、前部回転部材３３０および後部回転部材３４０が回転される範囲は、案内溝３３３および３４３の長さによってそれぞれ決定される。
【００３６】
案内溝３３３および３４３ならびに上述の機能を有する停止突起１２３に関して、たとえ前部回転部材３３０および後部回転部材３４０が、例えば過度の荷重または器具の誤動作、によって、通常の回転範囲を越えた回転を試みるように操作されるとしても、各停止突起１２３が対応する案内溝３３３、３４３の一端の内面と接触するようになるので、前部回転部材３３０および後部回転部材３４０は、それよりさらに回転することができない。
【００３７】
したがって、乳児または子供が本体１１０に乗り、乗用器具に乗って遊ぶ間、たとえ乗用器具が誤動作するとしても、本体１１０が地面上へ落ちる事故のような、危害は、器具の構造の理由で防止される。
【００３８】
図２および４を参照して、器具内に動作ユニット３００を設置するために、前部回転部材３３０のインターロック軸２１３が、それぞれ支持板１２０および本体１１０内に形成される挿入穴１２１および１１２に挿入され、およびその後に、インターロック軸２１３の対向端部が、前脚２１０のそれぞれの軸穴２１４に嵌入されて固定される。
【００３９】
さらに、後部回転部材３４０のインターロック軸２２３が、それぞれ支持板１２０および本体１１０内に形成される挿入穴１２２および１１３に挿入され、およびその後に、インターロック軸２２３の対向端部が、後脚２２０のそれぞれの軸穴２２４に嵌入されて固定される。
【００４０】
それぞれの軸穴２１４および２２４へのインターロック軸２１３および２２３の固定はキー駆動法（図示せず）によって実現されることができ、および、必要に応じて、それは他の軸固定法によって実現されることができる。この種の軸固定法は周知の技術であり、したがって、詳細な説明およびその例証は不必要であるとみなされる。
【００４１】
上述の構造を有する本発明において、前脚２１０および後脚２２０が回転されると、インターロック軸２１３および２２３が回転され、それによって前部回転部材３３０および後部回転部材３４０を回転させる。
【００４２】
一方、前ばね３５０が、それが本体１１０の先端部の方へ（すなわち、外部方向に）偏倚するように、前部回転部材３３０の上端を弾性的に引っ張るように前部回転部材３３０の上端に連結される。
【００４３】
詳細には、前ばね３５０は、その第１端部で、１枚の支持板１２０の内側表面から内部に突き出るバネロック突起１２４に連結される。前ばね３５０の第２の端部が、前部回転部材３３０のバネロック穴３３２に連結される。したがって、前部回転部材３３０の上端は前ばね３５０の弾性力のために前進方向に常に偏倚する。
【００４４】
さらに、後ばね３５１が、それが本体１１０の後端の方へ（すなわち、外部方向に）偏倚するように、後部回転部材３４０の上端を弾性的に引っ張るように後部回転部材３４０の上端に連結される。後ばね３５１の張力を調整するためのばね張力調整ユニット３６０が、後ばね３５１に連結される。
【００４５】
図４を参照して、ばね張力調整ユニット３６０が支持部材３６１を含み、それは、１枚の支持板１２０の内側表面に固定され、ならびにその中に停止部材３６１ａ、および、その外側のねじ部が停止部材３６１ａに挿入され、およびその頭部が停止部材３６１ａにロックされる、レンチボルト３６３、を有する。
【００４６】
ばね張力調整ユニット３６０は、レンチボルト３６３の外部ねじ付き部分がねじ込まれるナット穴３６２ａをその第１端部内に有する、張力調整可動本体３６２を更に含む。後ばね３５１が、後部回転部材３４０の上端と張力調整可動本体３６２の第２の端部との間に接続される。
【００４７】
加えて、レンチボルト３６３の頭部が停止部材３６１ａで支えられ、および、張力調整可動本体３６２は、それが支持部材３６１に対して回転されることができないように支持部材３６１内に配置される。したがって、レンチのような工具を使用してレンチボルト３６３を回転させるときに、回転する間、レンチボルト３６３は適所に残る。この時に、ナット穴３６２ａを有する張力調整可動本体３６２は、直線的に動かされる。
【００４８】
詳細には、レンチボルト３６３が逆時計回り方向に回転されるときに、張力調整可動本体３６２は上方向かつ後方に動かされる。対照的に、レンチボルト３６３が時計回り方向に回転されるときに、張力調整可動本体３６２は下方向かつ前方に動かされる。張力調整可動本体３６２が上方向かつ後方に動かされるときに、後ばね３５１が伸ばされ、したがって、後部回転部材３４０がそれによって引っ張られる弾性力を増加させる。張力調整可動本体３６２が下方向かつ前方に動かされるときに、後ばね３５１は収縮し、したがって、後部回転部材３４０がそれによって引っ張られる弾性力を減少させる。後ばね３５１の張力は、この方法によって調整される。
【００４９】
遊び乗馬を楽しむために、ユーザがハンドル１１１を保持し、かつ、本体１１０のそれぞれの側面部に設けられるそれぞれの足載せ台１１５上に自分の足を置く。その後に、本体１１０に座るユーザは自分の尻を持ち上げて、本体１１０を押すために尻を下向きに動かす。それで、本体１１０は下方向に動かされる。同時に、後部回転部材３４０が一方向に回転される。それによって、後ばね３５１が伸ばされる。
【００５０】
後ばね３５１の張力が増加するならば、遊び乗馬を楽しむときに、ユーザは本体１１０をより強く下に押さなければならない。後ばね３５１の張力が減少させられる場合、本体１１０は、本体１１０がユーザの尻によって押される、比較的小さな力によってさえ下方向に動かされることができる。したがって、遊び乗馬を楽しむ前に、子供ユーザがよりよく遊び乗馬を楽しむことができるように、後ばね３５１の張力は、好ましくは、本体１１０に座る子供ユーザの年齢または体重に従って調整される。
【００５１】
図５は、本発明で使用される一方向車輪組立体２１１または２２１の構造を示す長手方向断面図である。各一方向車輪組立体２１１、２２１は、前脚２１０および後脚２２０の各々内に設けられる車軸２１、車軸２１の上に適合されるクラッチ軸受２２およびクラッチ軸受２２の周囲の外部表面に設けられて、地面Ｐ上で転がる時すべりを防ぐために大きい摩擦力を与えるゴムタイヤ２３を含む。
【００５２】
クラッチ軸受２２は、一方向車輪組立体が一方向に回転されるときに、ボール２２ａが対応するストッパ２２ｂにロックされるように構成され、そのため、一方向車輪組立体が、図５で見たときに逆時計回り方向にだけ回転することができ、換言すれば、それは時計回り方向に回転することができない。上述の構造を有するクラッチ軸受２２は、周知の技術から得られ、したがって、それ以上の説明は、不必要であるとみなされる。
【００５３】
本発明に従う子供用の乗用器具の動作が、図４および６ないし９を参照して本願明細書において以下で説明される。
【００５４】
子供ユーザが、１つの足載せ台１１５上に足を踏み出し、本体１１０に座る。この状態では、図４に示すように、前脚２１０および後脚２２０はほぼ垂直に配置された状態を維持する。
【００５５】
その後、本体１１０に座って、ハンドル１１１を保持する子供ユーザが自分の尻を持ち上げて、尻を下向きに動かして下向きの押力によって本体１１０を下向きに押すと、図６の点線および破線の状態にあった乗用器具は、図６の実線の状態に入る。この時に、前脚２１０および後脚２２０が互いに遠ざけられるように押力が乗用器具に加えられる。
【００５６】
しかしながら、ここで、一方向車輪組立体２１１および２２１が、乗用器具が進む方向にだけ回転することができるので、後脚２２０の一方向車輪組立体２２１が回転せず、したがって、本体が後方に動かされるのが防止される。すなわち、図６に示すように、一方向車輪組立体２２１は地面Ｐとのそれらの元の接触位置である点Ｒ１にとどまる。他方、前脚２１０の一方向車輪組立体２１１が回転し、したがって、本体を前方へ動かす。
【００５７】
前脚２１０および後脚２２０は、同時に、動作されるが、しかし、記述的な目的のために、後脚２２０の動作を説明する前に、前脚２１０の動作が最初に説明される。
【００５８】
図６を参照して、本体１１０が垂直な押力によって下向きに動かされると、前脚２１０の一方向車輪組立体２１１が前方へ回転され、したがって、点Ｆ１の元の位置から点Ｆ２まで移動する。結果として、一方向車輪組立体２１１は距離Ｌだけ前方に進められる。
【００５９】
したがって、前脚２１０は後脚から遠ざけられた状態に入る。それによって、インターロック軸２１３が時計回り方向に回転される。
【００６０】
次いで、インターロック軸２１３の上に堅固に適合される前部回転部材３３０もまた、時計回り方向に回転される。したがって、前ばね３５０が引っ張られて伸ばされ、および、同時に、連結棒３１０が後部回転部材３４０の下端を押す。
【００６１】
一方、本体１１０が鉛直力によって下向きに動かされると、後脚２２０の一方向車輪組立体２２１は、いかなる後ろ向きの動きも伴わずに図６の点Ｒ１で定常状態を維持する。したがって、後脚２２０の上端部が、後方に動くのを妨げられる後脚２２０の後端の回りにアーク形状の経路に沿って下向きに回転される。
【００６２】
詳細には、図７ａに示すように、一方向車輪組立体２２１がその位置で地面Ｐと接触する点Ｒ１が、後脚２２０の上端部がアーク形状の経路に沿ってそのまわりに回転される中心になる。この時に、一方向車輪組立体２２１は回転せず、しかし後脚２２０の上端部が点Ｒ１の回りに回転される角度に対応する角度でわずかに動く。しかしながら、一方向車輪組立体２２１のこの移動がきわめてわずかであるので、それは記述の容易さのために無視される。
【００６３】
後脚２２０の上端部がアーク形状の経路に沿って回転されるにつれて、インターロック軸２２３が下向きにかつ前方に動かされて、回転される。
【００６４】
図７ｂは、インターロック軸２２３の回転を例示するための仮想図である。ここで、図の想像線は、後脚２２０の上端部が下向きに回転される前に元の位置にあるときのインターロック軸２２３を意味する。実線は、後脚２２０の上端部が下向きに回転される状態にあるときのインターロック軸２２３を意味する。この図から、インターロック軸２２３が角度Ｓで回転されることが、理解されるべきである。
【００６５】
そのようなものとして、後脚２２０の上端部が下向きに回転されるときに、インターロック軸２２３は前方にかつ下向きに動かされる。さらに、本体１１０が前方へ動かされる。同時に、インターロック軸２２３が逆時計回り方向に回転されるので、後部回転部材３４０もまた、逆時計回り方向に回転され、その結果、後ばね３５１は、図８に示すように、引っ張られて伸ばされる状態に入る。
【００６６】
ここで、連結棒３１０が、前部回転部材３３０および後部回転部材３４０を同時に回転させることを可能にするように機能する。加えて、連結棒３１０によって、前部回転部材３３０の上端が移動する距離と後部回転部材３４０の下端が移動する距離は、常に互いに同一である。
【００６７】
したがって、本体１１０が上方向にまたは下方向に動かされるときに、前部回転部材３３０と後部回転部材３４０は同時に回転され、および、前部回転部材３３０の上端と後部回転部材３４０の下端は同じ距離を移動する。
【００６８】
一方、器具に乗っている子供ユーザが自分の尻を持ち上げると、下方向に動かされた本体１１０は直ちに上方向に動かされる。
【００６９】
図８を参照して、本体１１０が下向きに動かされたあと、前部回転部材３３０と後部回転部材３４０が、伸ばされた前ばねおよび後ばね３５０および３５１の復原力によって時計回り方向に回転される。それによって、インターロック軸２１３および２２３もまた、時計回り方向に回転される。
【００７０】
したがって、前脚２１０の下端は内部に、すなわち、後脚２２０に接近する方向に偏倚するが、しかし、前脚２１０の一方向車輪組立体２１１が、それらが前方へだけ回転することができるように構成されているので、一方向車輪組立体２１１は後方に回転することなく点Ｆ１にとどまる。
【００７１】
したがって、前脚２１０の上端部はアーク形状の経路に沿って上方向に動かされ、および、本体２１０は前方に動かされる。
【００７２】
この時に、後脚２２０において、インターロック軸２２３が時計回り方向に回転されるので、後脚２２０の下端はインターロック軸２２３の周りに時計回り方向に回転される。それによって、図９に示すように、前方へだけ回転することができる一方向車輪組立体２２１が前方に回転し、したがって、点Ｒ１から点Ｒ２まで移動する。すなわち、一方向車輪組立体２２１は距離Ｌだけ前方に進められる。
【００７３】
そのようなものとして、本発明において、本体１１０が下方向に動かされて、次いで前および後ばね３５０および３５１の弾性力によって上方向に自動的に動かされる、１つのサイクルが、乗用器具１００に座っている子供ユーザが自分の尻を持ち上げ、かつ、尻を下向きに動かす動作によって遂行される。本体１１０は、毎サイクルに対して距離Ｌだけ前方に進められる。
【００７４】
したがって、子供ユーザがこの１サイクル動作を繰り返すと、乗用器具１００は連続的に前方に進められる。したがって、子供ユーザは遊び乗馬を楽しむことができ、同時に、子供ユーザが上下方向に繰り返し自分の体を動かすので、関係する運動の効果を得ることができる。
【００７５】
さらに、本発明において、動作ユニット３００が、本体１１０内に直立して配置される２枚の支持板１２０の間に設置されて、支えられる。それゆえに、たとえ圧力が前脚および後脚２１０および２２０に連続的に加えられるとしても、支持板１２０が、それによって加えられる必要な荷重を支えることができ、したがって、プラスチックでできている本体１１０が望ましくなく変形されることから防ぎ、およびそれによって製品の信頼性を高めることができる。
【００７６】
加えて、前部回転部材３３０が連結棒３１０を介して後部回転部材３４０に連結され、および、それらが互いに連動して動作されるので、前脚２１０および後脚２２０が互いに遠ざかりおよび接近する動きは常に規則的で一定である。したがって、荷重が片側に集中するのが防止される。したがって、たとえ本体１１０に座る子供ユーザが前後の方向に本体１１０を揺さぶるとしても、本体１１０が前方にまたは後方に極端に傾くのが防止され、したがって、倒れるのが防止される。むしろ、乗用器具１００は馬に乗る効果に類似した効果を提供することができ、したがって乗用器具の遊び乗馬を、より気持ち良く楽しくする。
【００７７】
一方、子供は一般的に全ての対象物にすぐに飽きる。したがって、長い時間の間、本発明の乗用器具を楽しむように子供ユーザを誘導するために、本発明の乗用器具が種々の機能を有することが好ましい。
【００７８】
上述の目的を達成するために、本発明の乗用器具１００は音楽または音声を発生させる機能を有することができる。図１０は、本発明に従う音声出力ユニットを備えている乗用器具を示す平面図である。図１１は、本発明に使用される音声出力ユニットのシステムを示すブロック図である。
【００７９】
図１０および１１を参照して、音声出力ユニット４００が、本体１１０の上部に設けられる。この音声出力ユニット４００は、スピーカ４０１、内部メモリ素子４０２、着脱可能な外部メモリ素子４０３、マイクロプロセッサ４０４および電池４０５を含む。さらに、内部メモリ素子４０２内に格納される音声情報を出力するための第１のスイッチ４０６および着脱可能な外部メモリ素子４０３内に格納される音声情報を出力するための第２のスイッチ４０７が、ハンドル１１１のそれぞれの対向端部に設けられる。
【００８０】
さらに、ユーザからの音声入力に対する反響効果を与える反響音マイクロホン４０８が本体１１０内の所定の位置に設けられる。反響音マイクロホン４０８は、スピーカ４０１に直接に接続される。反響音マイクロホン４０８を選択的に動作させるための反響音スイッチ４０９が、反響音マイクロホン４０８に隣接して設けられる。
【００８１】
好ましくは、ユーザがそれに触れるたびに、音声出力動作を交互にオン／オフするタッチスイッチが、第１および第２のスイッチ４０６および４０７の各々に対して使われる。さらに、メモリカードタイプが好ましくは着脱可能な外部メモリ素子４０３として使われる。この音声出力ユニット４００は周知の技術から得られ、したがって、その回路の詳細な説明は省略される。
【００８２】
子供ユーザが乗用器具１００に乗るときに、彼／彼女は安全のために自然にハンドル１１１を保持する。この時に、第１のスイッチ４０６および第２のスイッチ４０７がハンドル１１１の対向端部にそれぞれ設けられているので、子供ユーザは自然に自分の左手または右手を使用して第１のスイッチ４０６または第２のスイッチ４０７に触れる。
【００８３】
第１のスイッチ４０６が子供ユーザによって触れられる場合には、音声出力ユニット４００の内部メモリ素子４０２内に格納されるさまざまな音がスピーカ４０１を通して出力される。例えば、馬のいななく音および馬の蹄の音が内部メモリ素子４０２内に格納される場合、子供ユーザが第１のスイッチ４０６に触れると、馬のいななく音および馬の蹄の音がマイクロプロセッサ４０４によってロードされて、スピーカ４０１を通して出力される。このように、子供ユーザは、あたかも彼／彼女が本物の馬に乗っているかのように乗用器具を楽しむことができる。    
【００８４】
子供ユーザが第２のスイッチ４０７に触れる場合には、着脱可能な外部メモリ素子４０３内に格納される音声情報が出力される。例えば、子供ユーザが第２のスイッチ４０７に触れると、童謡が出力されるように、子供の好きな曲等が着脱可能な外部メモリ素子４０３内に格納されることがより好ましい。
【００８５】
子供ユーザが反響音スイッチ４０９を押すと、子供ユーザから発生される音声が反響音効果を使用して出力される。この反響音機能は、好奇心から多くの音声を発生させるように子供ユーザを誘導する。したがって、反響音機能を有する本発明は、子供ユーザの声帯を発達させることができて、子供ユーザの自信および言語を促進することができる。
【００８６】
図１２は、本発明の別の実施態様を例示する部分的分解斜視図である。本実施態様において、連結棒挿入穴１１７が本体１１０の後端の上部内に形成される。連結棒５００が、連結棒挿入穴１１７にはめ込まれる。連結棒５００は、その上端部に、水平方向に所定の長さ伸びる補助的なハンドル５０１を有する。ロックピン１１４が、本体１１０内に形成される穴中に挿入され、かつ連結棒５００内に形成される嵌まり穴５０２にはめ込まれる。
【００８７】
標準状態で、連結棒５００は本体１１０から切り離されて、別々に格納される。必要に応じて、例えば、散歩に行く比較的長い距離に対して遊び乗馬する時、または乗用器具を多くの人々がいる大きな店舗のような場所で使用する時、連結棒５００が、本体１１０の後端に選択的に取り付けられることができる。
【００８８】
連結棒５００が本体１１０の後端に装着される場合には、保護者が補助的なハンドル５０１を保持して、乗用器具を押すことができる。この場合、乗用器具１００が乳母車として使われることができる。したがって、本発明の乗用器具によって保護者がこの器具に乗る子供と共に外出することができ、したがって、保護者にとって便利で、かつきわめて有効である。
【００８９】
本発明の好適な実施態様が例証となる目的のために開示されたとはいえ、当業者は、添付の請求の範囲にて開示した、本発明の範囲および趣旨から逸脱することなく、さまざまな変更、追加および置換が可能である、ということを認識するであろう。
【符号の説明】
【００９０】
２１  車軸
２２  クラッチ軸受
２２ａ  ボール
２２ｂ  ストッパ
２３  ゴムタイヤ
１００  乗用器具
１１０  本体
１１１  ハンドル
１１２  挿入穴
１１３  挿入穴
１１４  ロックピン
１１５  足載せ台
１１６  ボルト
１１６’  ナット
１１７  連結棒挿入穴
１２０  支持板
１２１  挿入穴
１２２  挿入穴
１２３  停止突起
１２４  バネロック突起
２１０  前脚
２１１  一方向車輪組立体
２１３  インターロック軸
２１４  軸穴
２２０  後脚
２２１  一方向車輪組立体
２２３  インターロック軸
２２４  軸穴
３００  動作ユニット
３１０  連結棒
３２０、３２１  ヒンジ軸
３３０  前部回転部材
３３１  挿入穴
３３２  バネロック穴
３３３  案内溝
３４０  後部回転部材
３４１  挿入穴
３４２  バネロック穴
３４３  案内溝
３５０  前ばね
３５１  後ばね
３６０  ばね張力調整ユニット
３６１  支持部材
３６１ａ  停止部材
３６２  張力調整可動本体
３６２ａ  ナット穴
３６３  レンチボルト
４００  音声出力ユニット
４０１  スピーカ
４０２  内部メモリ素子
４０３  外部メモリ素子
４０４  マイクロプロセッサ
４０５  電池
４０６  第１のスイッチ
４０７  第２のスイッチ
４０８  反響音マイクロホン
４０９  反響音スイッチ
５００  連結棒
５０１  補助的なハンドル
５０２  嵌まり穴
【図１】
2011501979.tif 000003
【図２】
2011501979.tif 000004
【図３】
2011501979.tif 000005
【図４】
2011501979.tif 000006
【図５】
2011501979.tif 000007
【図６】
2011501979.tif 000008
【図７（ａ）】
2011501979.tif 000009
【図７（ｂ）】
2011501979.tif 000010
【図８】
2011501979.tif 000011
【図９】
2011501979.tif 000012
【図１０】
2011501979.tif 000013
【図１１】
2011501979.tif 000014
【図１２】
2011501979.tif 000015
【国際調査報告】
2011501979.tif 000016
2011501979.tif 000017